(57)【要約】【課題】タッチパネルを備える表示装置について、タッチパネルを備える構成を利用した方法でオブジェクト画像を表示する。【解決手段】車載装置１は、タッチパネル１１と、タッチパネル１１が接触操作された場合、接触操作された接触位置を検出し、また、タッチパネル１１にオブジェクト画像を表示する制御部２０とを備え、制御部２０は、オブジェクト画像の表示領域に対応する領域に２箇所の接触位置を検出し、検出した２箇所の接触位置の少なくともいずれか一方の状態が所定の態様で変化した場合、接触位置の状態の変化に応じて、オブジェクト画像を立体的に傾けて表示する。【選択図】図２
2017004338.tif 000002
【特許請求の範囲】
【請求項１】
タッチパネルと、
前記タッチパネルが接触操作された場合、接触操作された接触位置を検出し、また、前記タッチパネルにオブジェクト画像を表示する制御部と、を備え、
前記制御部は、
前記オブジェクト画像の表示領域に対応する領域に２箇所の接触位置を検出し、検出した２箇所の接触位置の少なくともいずれか一方の状態が所定の態様で変化した場合、接触位置の状態の変化に応じて、前記オブジェクト画像を立体的に傾けて表示する
ことを特徴とする表示装置。
【請求項２】
前記制御部は、
前記オブジェクト画像の表示領域に対応する領域で、１箇所の接触位置が第１の態様で移動したことを検出した場合、前記オブジェクト画像を、２箇所の接触位置の状態の変化に応じて立体的に傾けて表示する対象として決定することを特徴とする請求項１に記載の表示装置。
【請求項３】
前記第１の態様は、前記オブジェクト画像の外周に沿って１箇所の接触位置が移動する態様であることを特徴とする請求項２に記載の表示装置。
【請求項４】
前記制御部は、
接触位置の状態の変化に応じて前記オブジェクト画像を立体的に傾けて表示している際に、２箇所の接触位置の少なくともいずれか一方が第２の態様で移動したことを検出した場合、前記オブジェクト画像の状態を、接触位置が第２の態様で移動したことを検出したときの状態で固定することを特徴とする請求項１に記載の表示装置。
【請求項５】
車両に搭載され、
前記制御部は、
前記タッチパネルに地図を表示し、地図に重ねて、前記オブジェクト画像を表示することを特徴とする請求項１から４のいずれか１項に記載の表示装置。
【請求項６】
前記タッチパネルは、
接触位置における接触操作の押下圧力を示す信号を前記制御部に出力する圧力検出センサを備え、
前記制御部は、
前記圧力検出センサから入力された信号に基づいて、接触位置における接触操作の押下圧力を検出し、
２箇所の接触位置の少なくともいずれか一方の押下圧力の変化に応じて、前記オブジェクト画像を立体的に傾けて表示する
ことを特徴とする請求項１に記載の表示装置
【請求項７】
前記制御部は、
２箇所の接触位置のうち押下圧力が大きい方の接触位置の側が、当該接触位置の押下圧力の増大に応じて奥行き方向における後方向に変移するように、前記オブジェクト画像を立体的に傾けて表示する
ことを特徴とする請求項６に記載の表示装置。
【請求項８】
前記制御部は、
２箇所の接触位置の少なくともいずれか一方が第３の態様で移動したことを検出した場合、接触位置の移動に応じて、前記オブジェクト画像を立体的に傾けて表示することを特徴とする請求項１に記載の表示装置。
【発明の詳細な説明】
【技術分野】
【０００１】
本発明は、表示装置に関する。
【背景技術】
【０００２】
本技術分野の背景技術として、特開２０１３−９６８０９号公報がある（特許文献１）。この公報には、「リスト表示された複数の施設を地図画像上に表示させる機能を備えるナビゲーション装置において、前記施設のリスト及び前記地図画像を表示する表示部１８と、前記リストを更新するリスト更新部１７と、前記リストから所望の前記施設を選択する施設選択部１７と、前記リストに表示された全ての前記施設を表示可能な前記地図画像の縮尺を演算する縮尺演算部１６と、前記施設が選択されたとき、前記リストに表示された全ての前記施設を含む前記地図画像を、前記縮尺で前記表示部に表示させる制御を行う制御部１１と、を備える。」と記載されている。
【先行技術文献】
【特許文献】
【０００３】
【特許文献１】特開２０１０−３６６２０号公報
【発明の概要】
【発明が解決しようとする課題】
【０００４】
上述した特許文献１に記載の表示装置（ナビゲーション装置）のように、タッチパネルを備え、タッチパネルにリスト等のオブジェクト画像を表示するものでは、タッチパネルを備える構成を利用した方法でオブジェクト画像を表示し、これによりユーザの利便性を向上したいとするニーズがある。
本発明は、上述した事情に鑑みてなされたものであり、タッチパネルを備える表示装置について、タッチパネルを備える構成を利用した方法でオブジェクト画像を表示することを目的とする。
【課題を解決するための手段】
【０００５】
上記目的を達成するために、表示装置は、タッチパネルと、前記タッチパネルが接触操作された場合、接触操作された接触位置を検出し、また、前記タッチパネルにオブジェクト画像を表示する制御部と、を備え、前記制御部は、前記オブジェクト画像の表示領域に対応する領域に２箇所の接触位置を検出し、検出した２箇所の接触位置の少なくともいずれか一方の状態が所定の態様で変化した場合、接触位置の状態の変化に応じて、前記オブジェクト画像を立体的に傾けて表示することを特徴とする。
【発明の効果】
【０００６】
本発明によれば、タッチパネルを備える表示装置について、タッチパネルを備える構成を利用して、オブジェクト画像を表示できる。
【図面の簡単な説明】
【０００７】
【図１】（Ａ）は本実施形態に係る車載装置の正面図、（Ｂ）は車載装置の斜視図。
【図２】車載装置の機能的構成を示すブロック図。
【図３】オブジェクト画像の一例であるガイド地点リストを示す図。
【図４】オブジェクト画像の一例である道路施設表示画像を示す図。
【図５】車載装置の動作を示すフローチャート。
【図６】オブジェクト画像の一例であるガイド地点リストを示す図。
【図７】操作の一例を示す図。
【図８】図５のフローチャートのステップＳＡ７の処理の説明に利用する図。
【図９】立体的表示処理の詳細を示す図。
【図１０】立体的表示処理の説明のため、オブジェクト画像を示す図。
【図１１】オブジェクト画像の一例であるガイド地点リストを示す図。
【図１２】図９のフローチャートのステップＳＢ７の処理の説明に利用する図。
【図１３】立体的表示処理の別の例の説明に利用する図。
【発明を実施するための形態】
【０００８】
以下、図面を参照して本発明の実施形態について説明する。
【０００９】
図１（Ａ）は、本実施形態に係る車載装置１（表示装置）の正面図である。
車載装置１は、車両のダッシュボード等に搭載される装置である。車載装置１は、後述するように、車両の現在位置を検出する自車位置検出を行う機能、地図上に車両の現在位置を表示する車両位置表示を行う機能、目的地までの経路を探索する経路探索を行う機能、及び、地図を表示して、地図上に目的地までの経路を表示し目的地までの経路を案内する経路案内を行う機能等を備える。
【００１０】
図１（Ａ）に示すように、車載装置１は、制御基板や、インターフェイスボード、電源回路等を収納する筐体１０を備える。筐体１０の正面には、タッチパネル１１が設けられる。筐体１０の正面において、タッチパネル１１の下方には、パネル１５が設けられる。パネル１５の中央部には、ＣＤ（Compact Disc）や、ＤＶＤ（Digital Versatile Disk）等のメディアを載置するトレイの出し入れが可能な挿入口１４が設けられる。また、パネル１５には、電源スイッチ１２や、各種指示入力を行う入力スイッチ１３、トレイの出し入れを指示するイジェクトスイッチ１６等の操作スイッチＳが設けられる。
【００１１】
以下の説明では、図１（Ａ）の矢印で示すように、車載装置１を正面視したときに左に向かう方向を「左方向」とし、右に向かう方向を「右方向」とし、上に向かう方向を「上方向」とし、下に向かう方向を「下方向」とする。
【００１２】
図１（Ｂ）は、車載装置１の斜視図である。
以下の説明では、図１（Ｂ）の矢印で示すように、車載装置１の奥行き方向において、正面側に向かう方向を「前方向」とし、裏面側に向かう方向を「後方向」とする。
【００１３】
図２は、車載装置１の機能的構成を示すブロック図である。
図２に示すように、車載装置１は、制御部２０と、記憶部２１と、操作部２２と、ＧＰＳユニット２４と、相対方位検出ユニット２５と、ビーコン受信ユニット２６と、ＦＭ多重受信ユニット２７と、メディア制御部２８と、音声処理部２９と、タッチパネル１１と、を備える。
【００１４】
制御部２０は、ＣＰＵや、ＲＯＭ、ＲＡＭ、その他周辺回路等を備え、車載装置１の各部を制御する。制御部２０は、例えば、ＣＰＵが、ＲＯＭが記憶する制御プログラムを読み出して実行する等、ハードウェアとソフトウェアとの協働により、車載装置１の各部を制御する。
【００１５】
記憶部２１は、不揮発性メモリーを備え、各種データを記憶する。記憶部２１は、地図データ２１１を記憶する。地図データ２１１は、道路の形状の描画に係る道路描画データや、地形等の背景の描画に係る背景描画データ、行政区画等の文字列の描画に係る文字列描画データ等の地図の表示に係る描画データを含む。また、地図データ２１１は、交差点等の道路網における結線点に対応するノードに関する情報を有するノード情報や、ノードとノードとの間に形成される道路に対応するリンクに関する情報を有するリンク情報等の経路の探索、及び、経路の案内に係る情報を含む。
【００１６】
操作部２２は、操作スイッチＳを備え、操作スイッチＳに対する操作を検出し、操作に対応する信号を制御部２０に出力する。制御部２０は、操作部２２から入力された信号に基づいて、操作に対応する処理を実行する。
【００１７】
ＧＰＳユニット２４は、図示せぬＧＰＳアンテナを介してＧＰＳ衛星からのＧＰＳ電波を受信し、ＧＰＳ電波に重畳されたＧＰＳ信号から、車両の現在位置と進行方向とを演算により取得する。ＧＰＳユニット２４は、取得結果を制御部２０に出力する。
【００１８】
相対方位検出ユニット２５は、ジャイロセンサと、加速度センサとを備える。ジャイロセンサは、例えば振動ジャイロにより構成され、車両の相対的な方位（例えば、ヨー軸方向の旋回量）を検出する。加速度センサは、車両に作用する加速度（例えば、進行方向に対する車両の傾き）を検出する。相対方位検出ユニット２５は、検出結果を制御部２０に出力する。
【００１９】
ビーコン受信ユニット２６は、車両が走行する道路に設けられた電波ビーコンや光ビーコンが発する道路交通情報に係る電波を受信し、受信した電波に基づいて道路交通情報を生成し、生成した道路交通情報を制御部２０に出力する。道路交通情報は、ＶＩＣＳ（登録商標）（Vehicle Information and Communication System：道路交通情報通信システム）情報であり、渋滞に関する情報や、道路の交通規制に関する情報等を含む。
【００２０】
ＦＭ多重受信ユニット２７は、ＦＭ多重放送波を受信して、道路交通情報を抽出し、制御部２０に出力する。より詳細には、ＦＭ多重受信ユニット２７は、ＦＭ多重専用チューナと、多重エンコーダと、を備えている。ＦＭ多重専用チューナは、ＦＭ多重放送を受信すると、ＦＭ多重信号を多重エンコーダに出力する。多重エンコーダは、ＦＭ多重専用チューナから入力されたＦＭ多重信号を復号して道路交通情報を取得し、制御部２０に出力する。
【００２１】
制御部２０は、ビーコン受信ユニット２６、又は、ＦＭ多重受信ユニット２７から道路交通情報が入力された場合、タッチパネル１１に、道路交通情報を含むポップアップ画像をポップアップにより表示する。
【００２２】
メディア制御部２８は、挿入口１４を介して筐体１０に挿入されたＣＤや、ＤＶＤ等のメディアを収納し、収納したメディアを駆動するドライブを備え、メディアから読み出した情報に基づいて音声データを生成し、制御部２０に出力する。制御部２０は、メディア制御部２８から入力された音声データに基づいて音声信号を生成し、音声処理部２９に出力する。
【００２３】
音声処理部２９は、Ｄ／Ａコンバータや、ボリューム回路、アンプ回路、スピーカー等を備え、制御部２０の制御で、制御部２０から入力された音声信号をＤ／Ａコンバータによりデジタル／アナログ変換し、ボリューム回路により音量レベルを調整し、アンプ回路により増幅して、図示しないスピーカーから音声として出力する。
【００２４】
タッチパネル１１は、表示パネル１１１と、タッチセンサ１１２と、圧力検出センサ１１３と、を備える。
【００２５】
表示パネル１１１は、液晶表示パネルや有機ＥＬ表示パネル等の表示装置である。制御部２０は、表示パネル１１１に表示する画像の画像データをフレームメモリーＦＭに展開し、フレームメモリーに展開した画像データに基づいて、表示パネル１１１を駆動して、表示パネル１１１に画像を表示する。
【００２６】
タッチセンサ１１２は、タッチパネル１１が接触操作された場合、接触操作された位置（以下、「接触位置」という。）を示す信号を制御部２０に出力する。接触操作とは、手指の先等の指示体によりタッチパネル１１の所定の位置が接触されて行われる操作をいう。なお、静電容量式のタッチパネル等では、当該タッチパネルに対する指示体の物理的な接触がない場合であっても、指示体が当該タッチパネルに近接したときに操作を検出するものがあるが、このような方法により検出される操作も本実施形態の接触操作の概念に含まれる。制御部２０は、タッチセンサ１１２から接触位置を示す信号が入力された場合、入力された信号に基づいて、表示パネル１１１の表示領域の任意の位置を座標によって表すための所定の座標系における、接触位置の座標（以下、「接触位置座標」という。）を検出する。制御部２０が、タッチセンサ１１２からの入力に基づいて、接触位置に係る接触位置座標を検出する処理は、「タッチパネルが接触操作された場合、接触操作された接触位置を検出する」処理に相当する。
【００２７】
圧力検出センサ１１３は、タッチパネル１１の接触位置が接触操作されている間、当該接触位置における接触操作の押下圧力を示す信号を制御部２０に出力する。制御部２０は、圧力検出センサ１１３から押下圧力を示す信号が入力された場合、入力された信号に基づいて、接触位置における接触操作の押下圧力を検出する。本実施形態では、制御部２０は、接触位置における接触操作の押下圧力を、圧力レベルｌｖ０〜圧力レベルｌｖ３の４段階のレベルのいずれかとして検出する。圧力レベルｌｖ０は、押下圧力が最も小さいレベルであり、圧力レベルｌｖ３は、押下圧力が最も大きいレベルであり、圧力レベルｌｖ０から圧力レベルｌｖ３へ向かって、押下圧力の度合いが段階的に大きくなる。
【００２８】
なお、図２は、本願発明を理解容易にするために、車載装置１の機能構成を主な処理内容に応じて分類して示した概略図であり、車載装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【００２９】
車載装置１は、車両の現在位置を検出する自車位置検出を行う機能、地図上に車両の現在位置を表示する車両位置表示を行う機能、目的地までの経路を探索する経路探索を行う機能、及び、地図を表示して、地図上に目的地までの経路を表示し、目的地までの経路を案内する経路案内を行う機能を備える。
【００３０】
自車位置検出に際し、制御部２０は、ＧＰＳユニット２４及び相対方位検出ユニット２５からの入力、及び、地図データ２１１に基づいて、車両の現在位置を検出する。なお、車両の現在位置を検出する方法はどのような方法であってもよく、また、検出に際し、車速を示す情報等の本実施形態で例示する情報以外の情報を用いてもよい。また、車両位置表示に際し、制御部２０は、地図データ２１１に基づいて、検出した現在位置を中心とした所定のスケールの地図をタッチパネル１１に表示すると共に、検出した車両の現在位置を地図上に表示する。また、経路探索に際し、制御部２０は、地図データ２１１に基づいて、検出した現在位置から、ユーザに設定された目的地に至る経路を探索する。また、経路案内に際し、制御部２０は、目的地までの経路を地図上に表示すると共に、検出した車両の現在位置を地図上に表示し、目的地に至るまでの経路を案内する。
【００３１】
ところで、車載装置１の制御部２０は、タッチパネル１１に、オブジェクト画像ＯＧを表示する機能を有する。オブジェクト画像ＯＧは、ユーザに、所定の情報を通知することを目的としてタッチパネル１１の所定の表示領域に表示される画像である。制御部２０は、タッチパネル１１に地図を表示している場合、地図に重ねてオブジェクト画像ＯＧを表示する。
以下、まず、オブジェクト画像ＯＧについて、２つの例を挙げて説明する。
【００３２】
＜オブジェクト画像ＯＧの１つ目の例＞
図３は、オブジェクト画像ＯＧの例であるガイド地点リストＧ１を示す図である。
ガイド地点リストＧ１は、目的地までの経路上に存在するガイド地点を、車両の現在位置に近い方から順番に簡易なリスト形式で表示する画像である。ガイド地点とは、交差点や、高速道路・有料道路への入り口等、目的地までの経路において、車両が当該経路を走行する際に、運転手が車両の走行を注意すべき地点のことである。
【００３３】
経路案内中、制御部２０は、所定の事象をトリガーとして自動で、又は、所定の手段によりガイド地点リストＧ１の表示の指示があったときに、地図データ２１１に基づいて、目的地までの経路上に存在するガイド地点に関する情報を取得する。次いで、制御部２０は、取得したガイド地点に関する情報に基づいて、ガイド地点リストＧ１の画像データを生成し、生成した画像データを、フレームメモリーＦＭの所定の展開領域に、地図の画像データに重ねて展開することにより、ガイド地点リストＧ１を、タッチパネル１１の所定の表示領域に表示する。
【００３４】
＜オブジェクト画像ＯＧの２つ目の例＞
図４は、オブジェクト画像ＯＧの例である道路施設表示画像Ｇ２を示す図である。
道路施設表示画像Ｇ２は、高速道路や、有料道路（以下、「高速道路等」という。）に存在するインターチェンジ、サービスエリア、パーキングエリア等の施設や構造物（以下、「施設等」という。）を、車両の現在位置に近い方から順番に簡易なリスト形式で表示する画像である。
【００３５】
車両の走行中、制御部２０は、車両が高速道路等を走行中か否かを監視する。制御部２０は、車両が高速道路等を走行中の場合、所定の事象をトリガーとして自動で、又は、所定の手段により道路施設表示画像Ｇ２の表示の指示があったときに、地図データ２１１に基づいて、走行中の高速道路等に存在する施設等に関する情報を取得する。次いで、制御部２０は、取得した施設等に関する情報に基づいて、道路施設表示画像Ｇ２の画像データを生成し、生成した画像データを、フレームメモリーＦＭの所定の展開領域に、地図の画像データに重ねて展開することにより、道路施設表示画像Ｇ２を、タッチパネル１１の所定の表示領域に表示する。
【００３６】
以上、オブジェクト画像ＯＧについて、２つの例を挙げて説明したが、オブジェクト画像ＯＧは例示した画像に限られない。すなわち、オブジェクト画像ＯＧは、タッチパネル１１の所定の表示領域に表示される画像であればよい。
【００３７】
このように、車載装置１は、タッチパネル１１に、オブジェクト画像ＯＧを表示する機能を有する。そして、車載装置１は、タッチパネル１１の特性を利用した以下の方法で、オブジェクト画像ＯＧを表示し、オブジェクト画像ＯＧの表示の方法に多様性をもたせ、ユーザの利便性を向上する。以下、オブジェクト画像ＯＧの表示に関する車載装置１の動作について詳述する。
【００３８】
図５は、オブジェクト画像ＯＧの表示に関する車載装置１の動作を示すフローチャートである。
図５のフローチャートの開始時点では、制御部２０は、地図データ２１１に基づいて、車両の現在位置を中心とした所定の縮尺の地図をタッチパネル１１に表示しているものとする。
【００３９】
図５に示すように、車載装置１の制御部２０は、所定の事象をトリガーとして自動で、又は、ユーザの指示に基づいて、タッチパネル１１に、地図に重ねて対応するオブジェクト画像ＯＧを表示する（ステップＳＡ１）。
【００４０】
図６（Ａ）は、ステップＳＡ１の処理によって、地図に重ねて表示されたガイド地点リストＧ１（オブジェクト画像ＯＧ）の一例を示す図である。図６（Ａ）で例示するガイド地点リストＧ１は、説明の便宜を考慮し、その内容を単純化し模式化している。以下では、適宜、図６（Ａ）のガイド地点リストＧ１（オブジェクト画像ＯＧ）が、ステップＳＡ１の処理によりタッチパネル１１に表示されたものとして、説明を行う。
【００４１】
なお、制御部２０は、接触位置座標と、フレームメモリーＦＭの各ドットの座標との対応関係を管理しており、接触位置座標を、フレームメモリーＦＭのドットの座標に変換する機能を有する。また、制御部２０は、フレームメモリーＦＭにおいて、オブジェクト画像ＯＧを展開した領域を管理しており、所定の接触位置に接触操作が行われた場合、接触位置と、オブジェクト画像ＯＧの表示領域との位置関係を認識できる。
【００４２】
オブジェクト画像ＯＧの表示後、制御部２０は、オブジェクト画像ＯＧの外周に沿った１箇所の接触位置の移動があったか否かを監視し（ステップＳＡ２）、当該移動があった場合（ステップＳＡ２：ＹＥＳ）、オブジェクト画像ＯＧを後述する立体的表示処理の対象として決定する（ステップＳＡ３）。
【００４３】
図６（Ｂ）は、オブジェクト画像ＯＧの外周に沿った１箇所の接触位置の移動の説明に利用する図である。
図６（Ｂ）の例では、オブジェクト画像ＯＧの外周に沿った１箇所の接触位置の移動は、位置Ｐ１を起点として、位置Ｐ１→位置Ｐ２→位置Ｐ３→位置Ｐ４→位置Ｐ１の順に、オブジェクト画像ＯＧを囲むように変移する接触位置の移動である。
【００４４】
なお、オブジェクト画像ＯＧの外周に沿った１箇所の接触位置の移動の起点は、図６（Ｂ）で例示した位置に対応する位置に限らずどの位置であってもよい。また、接触位置の移動方向も、図６（Ｂ）で例示した接触位位置の移動方向に対応する方向に限らずどの方向であってもよい。すなわち、オブジェクト画像ＯＧの外周に沿った１箇所の接触位置の移動は、１箇所の接触位置が、オブジェクト画像ＯＧを囲むように、オブジェクト画像ＯＧの外周に沿って移動するものであれば、その形態を問わない。
【００４５】
ユーザは、図６（Ａ）のガイド地点リストＧ１（オブジェクト画像ＯＧ）について、当該ガイド地点リストＧ１を後述する立体的表示処理の対象とすることを望む場合、図６（Ｂ）に示すように、例えば、自身の人差し指の指先により位置Ｐ１を接触操作した後、指先とタッチパネル１１とが接触した状態を維持しつつ、指先を位置Ｐ１→位置Ｐ２→位置Ｐ３→位置Ｐ４→位置Ｐ１へと移動させる。
【００４６】
このように、１のオブジェクト画像ＯＧについて、後述する立体的表示処理の対象とすることを望む場合、ユーザは、当該１のオブジェクト画像ＯＧに対応する所定の操作を行えばよい。このため、複数のオブジェクト画像ＯＧがタッチパネル１１に表示されている状態であっても、ユーザは、特定のオブジェクト画像ＯＧを、後述する立体的表示処理の対象とすることができる。
【００４７】
なお、「オブジェクト画像ＯＧの外周に沿った１箇所の接触位置の移動」は、「１箇所の接触位置の第１の態様での移動」に相当する。そして、オブジェクト画像ＯＧの後述する立体的表示処理の対象とする「１箇所の接触位置の第１の態様での移動」は、例示したものに限らない。ただし、オブジェクト画像ＯＧが偶発的に後述する立体的表示処理の対象となることを防止するため、例示した移動のように、ユーザが意図的に行った操作に基づく接触位置の移動であることが望ましい。
【００４８】
また、立体的表示処理の対象としたオブジェクト画像ＯＧについて、立体的表示処理の対象となったことをユーザが認識できるように、オブジェクト画像ＯＧの外周を太線で表示する等の所定の装飾を施すようにしてもよい。
【００４９】
ステップＳＡ３で、オブジェクト画像ＯＧを後述する立体的表示処理の対象として決定した後、制御部２０は、立体的表示処理の対象としたオブジェクト画像ＯＧの表示領域（以下、「オブジェクト画像表示領域」という。）に、２箇所の接触位置が検出されたか否かを監視する（ステップＳＡ４）。
【００５０】
図６（Ｃ）は、ステップＳＡ４の処理の説明に用いる図である。
図６（Ｃ）の例の場合、ステップＳＡ３において、制御部２０は、ガイド地点リストＧ１（オブジェクト画像ＯＧ）の表示領域Ａ１に、２箇所の接触位置（例えば、接触位置Ｐ５、及び、接触位置Ｐ６）が検出されたか否かを監視する。
【００５１】
ユーザは、例えば、図７に示すように、人差し指と、親指とを広げた状態で、人差し指の指先と、親指の指先で、オブジェクト画像表示領域を接触操作することにより、制御部２０に２箇所の接触位置の検出を行わせる。
【００５２】
オブジェクト画像表示領域に、２箇所の接触位置が検出された場合（ステップＳＡ４：ＹＥＳ）、制御部２０は、動作モードを、立体的表示モードへと移行する（ステップＳＡ５）。立体的表示モードとは、立体的表示処理の対象となったオブジェクト画像ＯＧについて、ユーザによる所定の操作に応じて、オブジェクト画像ＯＧを立体的に傾けて表示する動作モードである。なお、本実施形態では、立体的表示モードへの移行に際し、２箇所の接触位置に対する接触操作を必要とする。これは、例えば、タッチパネル１１に表示されたアイコンを接触操作してアイコンを選択する操作等、１箇所の接触位置に対する接触操作と、立体的表示モードへの移行のための接触操作とを区別するためである。
【００５３】
立体的表示モードへ移行後、制御部２０は、２箇所の接触位置のそれぞれの接触位置座標を検出する（ステップＳＡ６）。
【００５４】
次いで、制御部２０は、ステップＳＡ６で取得した２箇所の接触位置の接触位置座標に基づいて、後に詳述する回動軸の軸方向を決定する（ステップＳＡ７）。以下、ステップＳＡ７の処理について詳述する。
【００５５】
図８は、ステップＳＡ７の処理について説明するため、オブジェクト画像表示領域と、当該領域における２箇所の接触位置とを示す図である。図８において、矢印で示す上下左右方向は、タッチパネル１１の上下左右方向（図１（Ａ）参照）に対応する方向である。
図８に示すように、オブジェクト画像表示領域に、座標（Ｘ１、Ｙ１）の接触位置Ｐ７と、座標（Ｘ２、Ｙ２）の接触位置Ｐ８が存在しているものとする。なお、タッチパネル１１の表示領域の任意の位置を座標によって表すための所定の座標系は、ｘ軸が、タッチパネル１１の左右方向に対応する方向に延びる軸であり、ｙ軸が、タッチパネル１１の上下方向に対応する方向に延びる軸である。
【００５６】
図８の例の場合、ステップＳＡ７において、制御部２０は、接触位置Ｐ７と接触位置Ｐ８とのｘ軸方向（左右方向）の離間距離Ｌ１（｜Ｘ１−Ｘ２｜）を算出し、さらに、接触位置Ｐ７と接触位置Ｐ８とのｙ軸方向（上下方向）の離間距離Ｌ２（｜Ｙ１−Ｙ２｜）を算出する。
【００５７】
次いで、制御部２０は、接触位置Ｐ７と接触位置Ｐ８とのｘ軸方向の離間距離（以下、「ｘ軸方向離間距離」という。）と、接触位置Ｐ７と接触位置Ｐ８とのｙ軸方向の離間距離（以下、「ｙ軸方向離間距離」という。）とを比較し、ｘ軸方向離間距離の方が大きい場合は、後述する回動軸の軸方向を上下方向として決定し、ｘ軸方向離間距離の方が大きくない場合は、後述する回動軸の軸方向を左右方向として決定する。
図８の例では、ｘ軸方向離間距離（｜Ｘ１−Ｘ２｜）の方が、ｙ軸方向離間距離（｜Ｙ１−Ｙ２｜）よりも大きく、制御部２０は、回動軸の軸方向を上下方向として決定する。
【００５８】
このように、ステップＳＡ７において、制御部２０は、２箇所の接触位置の左右方向における離間距離と、上下方向における離間距離とを比較し、左右方向の離間距離が大きい場合、回動軸の軸方向を上下方向として決定し、左右方向の離間距離が大きくない場合、回動軸の軸方向を左右方向として決定する。ユーザは、回動軸の軸方向を上下方向としたい場合は、２箇所の接触位置について、左右方向の離間距離を上下方向の離間距離よりも大きくし、一方、回動軸の軸方向を左右方向としたい場合は、２箇所の接触位置について、上下方向の離間距離を左右方向の離間距離よりも大きい。
【００５９】
次いで、制御部２０は、立体的表示処理を実行する（ステップＳＡ８）。
【００６０】
図９は、立体的表示処理の詳細を示すフローチャートである。
なお、以下の図９を用いた説明では、説明の便宜のため、ステップＳＡ８において、回動軸の軸方向が上下方向として決定されているものとする。
図９に示すように、制御部２０は、圧力検出センサ１１３からの入力に基づいて、２箇所の接触位置のそれぞれの押下圧力を検出する（ステップＳＢ１）。
【００６１】
次いで、制御部２０は、２箇所の接触位置のうち、押下圧力が大きい方の接触位置を特定する（ステップＳＢ２）。
【００６２】
次いで、制御部２０は、押下圧力が大きい方の接触位置の押下圧力に基づいて、オブジェクト画像ＯＧの表示状態を変化させる（ステップＳＢ３）。以下、ステップＳＢ３の処理について詳述する。
【００６３】
図１０は、ステップＳＢ３の処理の説明に利用する図である。
図１０において、図１０（Ａ）は、立体的表示処理が行われる前にタッチパネル１１に表示されたオブジェクト画像ＯＧを示す図である。図１０（Ａ）の例では、オブジェクト画像表示領域における２箇所の接触位置は接触位置Ｐ９、及び、接触位置Ｐ１０である。また、図１０（Ａ）で例示するオブジェクト画像ＯＧには、左右方向に並ぶ５つの文字「あ」によって構成される文字列「あああああ」が表示される。
以下、図１０（Ａ）に示すオブジェクト画像ＯＧを、「通常オブジェクト画像」と表現する。
【００６４】
ステップＳＢ３において、ステップＳＢ２で押下圧力が大きいとして特定した接触位置が接触位置Ｐ１０であり、接触位置Ｐ１０における押下圧力の圧力レベルが「圧力レベルｌｖ１」の場合、制御部２０は、オブジェクト画像ＯＧの状態を、図１０（Ｂ）に示す状態とする。
以下、図１０（Ｂ）に示すオブジェクト画像ＯＧを、「第１オブジェクト画像」と表現する。
【００６５】
詳述すると、制御部２０は、回動軸（本例では、回動軸の軸方向は上下方向）の位置を、オブジェクト画像ＯＧの左辺、右辺のうち、２つの接触位置のうち、押下圧力が大きくない方の接触位置の側の辺に対応する位置に設定する。図１０（Ｂ）の例では、制御部２０は、符号Ｊ１で示すように、回動軸の位置を、オブジェクト画像ＯＧの左辺に設定する。
【００６６】
次いで、制御部２０は、回動軸を中心として、接触位置Ｐ１０の側（押下圧力が大きい方の接触位置の側）が奥行き方向における後方向（図１（Ｂ）参照）に対応する方向（以下、単に「後方向」と表現する。）に変移するように、オブジェクト画像ＯＧを仮想回動角度θ１だけ立体的に傾けて表示する。
なお、仮想回動角度は、第１オブジェクト画像、後述する第２オブジェクト画像、及び、後述する第３オブジェクト画像について、回動軸を中心とした見た目上の回動角度の違いを説明するために、オブジェクト画像ＯＧが３次元空間に存在すると仮定した場合における回動軸を中心とした回動角度を便宜的に表す角度である。
【００６７】
図１０（Ｂ）において、枠Ｗ１は、通常オブジェクト画像（図１０（Ａ））の表示領域を示す枠である。図１０（Ｂ）に示すように、第１オブジェクト画像は、回動軸を中心として通常オブジェクト画像が立体的に傾けて表現された画像であるため、第１オブジェクト画像の表示領域の面積は、通常オブジェクト画像の面積よりも小さい。具体的には、第１オブジェクト画像の表示領域の面積は、通常オブジェクト画像の面積よりも、図１０（Ｂ）において斜線で示す領域Ｚ１の分、小さくなる。これにより、領域Ｚ１については、地図が表示された状態となり、タッチパネル１１に表示される地図（ユーザが視認可能な地図）の面積を拡大することができ、ユーザの利便性が向上する。
【００６８】
さらに、図１０（Ａ）と図１０（Ｂ）との比較で明らかなとおり、第１オブジェクト画像が有する情報は、通常オブジェクト画像が有する情報と同一であり、通常オブジェクト画像と比較して欠損していない。具体的には、第１オブジェクト画像は、通常オブジェクト画像が情報として有する文字列「あああああ」と同じ情報を有する。これは、第１オブジェクト画像について、通常オブジェクト画像を立体的に傾けることによって表示することにより可能となるものである。
【００６９】
このように、制御部２０は、タッチパネル１１に対するユーザの所定の操作に応じて、通常オブジェクト画像を第１オブジェクト画像へと変移させることにより、通常オブジェクト画像が有する情報を欠損させることなく、タッチパネル１１において地図が表示される領域を拡大する。
【００７０】
また、ステップＳＢ３において、ステップＳＢ２で押下圧力が大きいとして特定した接触位置が接触位置Ｐ１０であり、接触位置Ｐ１０における押下圧力の圧力レベルが「圧力レベルｌｖ２」の場合、制御部２０は、オブジェクト画像ＯＧの状態を、図１０（Ｃ）に示す状態とする。
以下、図１０（Ｃ）に示すオブジェクト画像ＯＧを、「第２オブジェクト画像」と表現する。
【００７１】
詳述すると、制御部２０は、第１オブジェクト画像の場合と同様、回動軸の位置をオブジェクト画像ＯＧの左辺に設定する。次いで、制御部２０は、回動軸を中心として、接触位置Ｐ１０の側（押下圧力が大きい方の接触位置の側）が後方向に変移するように、オブジェクト画像ＯＧを仮想回動角度θ２だけ立体的に傾けて表示する。仮想回動角度θ２の値は、仮想回動角度θ１の値よりも大きい。この結果、図１０（Ｃ）に示すように、回動軸を中心とした見た目上の回動角度が第１オブジェクト画像よりも大きい第２オブジェクト画像が表示された状態となる。
【００７２】
図１０（Ｂ）と、図１０（Ｃ）との比較で明らかなとおり、第２オブジェクト画像に係る仮想回動角度θ２は、第１オブジェクト画像に係る仮想回動角度θ１よりも大きいため、第２オブジェクト画像の表示領域と通常オブジェクト画像の表示領域との差分の領域Ｚ２の面積は、第１オブジェクト画像の表示領域と通常オブジェクト画像の表示領域との差分の領域Ｚ１（図１０（Ｂ））よりも大きい。従って、第２オブジェクト画像が表示されている場合、第１オブジェクト画像が表示されている場合と比較して、タッチパネル１１において地図が表示される領域が大きい。また、第２オブジェクト画像は、第１オブジェクト画像と同様、通常オブジェクト画像が有する情報と同一の情報を有し、欠損がない。
【００７３】
また、ステップＳＢ３において、ステップＳＢ２で押下圧力が大きいとして特定した接触位置が接触位置Ｐ１０であり、接触位置Ｐ１０における押下圧力の圧力レベルが「圧力レベルｌｖ３」の場合、制御部２０は、オブジェクト画像ＯＧの状態を、図１０（Ｄ）に示す状態とする。
以下、図１０（Ｄ）に示すオブジェクト画像ＯＧを、「第３オブジェクト画像」と表現する。
【００７４】
詳述すると、制御部２０は、第１オブジェクト画像の場合と同様、回動軸の位置をオブジェクト画像ＯＧの左辺に設定する。次いで、制御部２０は、回動軸を中心として、接触位置Ｐ１０の側（押下圧力が大きい方の接触位置の側）が後方向に変移するように、オブジェクト画像ＯＧを仮想回動角度θ３だけ立体的に傾けて表示する。仮想回動角度θ３の値は、仮想回動角度θ２の値よりも大きい。この結果、図１０（Ｄ）に示すように、回動軸を中心とした見た目上の回動角度が第２オブジェクト画像よりも大きい第３オブジェクト画像が表示された状態となる。
【００７５】
図１０（Ｃ）と、図１０（Ｄ）との比較で明らかなとおり、第３オブジェクト画像に係る仮想回動角度θ３は、第２オブジェクト画像に係る仮想回動角度θ２よりも大きいため、第３オブジェクト画像の表示領域と通常オブジェクト画像の表示領域との差分の領域Ｚ３の面積は、第２オブジェクト画像の表示領域と通常オブジェクト画像の表示領域との差分の領域Ｚ２（図１０（Ｃ））よりも大きい。従って、第３オブジェクト画像が表示されている場合、第２オブジェクト画像が表示されている場合と比較して、タッチパネル１１において地図が表示される領域が大きい。また、第３オブジェクト画像は、第１オブジェクト画像と同様、通常オブジェクト画像が有する情報と同一の情報を有し、欠損がない。
【００７６】
ここで、図９のフローチャートに示すように、接触位置における押下圧力の検出（ステップＳＢ１）、及び、接触位置における押下圧力に基づいてオブジェクト画像ＯＧの状態を変化させる処理は、立体的表示処理が行われている間、継続して連続的に行われる。従って、図１０の例において、オブジェクト画像ＯＧは、接触位置Ｐ１０における押下圧力の圧力レベルの変化に応じて、第１オブジェクト画像、第２オブジェクト画像、及び、第３オブジェクト画像の間で連続的に切り替わる。例えば、接触位置Ｐ１０における押下圧力の圧力レベルが、圧力レベルｌｖ１→圧力レベルｌｖ２→圧力レベルｌｖ３へと変化した場合、圧力レベルの変化に応じて、オブジェクト画像ＯＧは、第１オブジェクト画像→第２オブジェクト画像→第３オブジェクト画像へと連続的に切り替わる。また例えば、接触位置Ｐ１０における押下圧力の圧力レベルが、圧力レベルｌｖ３→圧力レベルｌｖ２→圧力レベルｌｖ１へと変化した場合、圧力レベルの変化に応じて、オブジェクト画像ＯＧは、第３オブジェクト画像→第２オブジェクト画像→第１オブジェクト画像へと連続的に切り替わる。
【００７７】
これを踏まえ、ユーザは、第１オブジェクト画像が表示された状態において、オブジェクト画像ＯＧの表示領域の面積をより小さくして、タッチパネル１１における地図が表示される領域をより大きくすることを望む場合、接触位置Ｐ９に対する接触操作の状態を変化させないことにより接触位置Ｐ９における押下圧力を変化させずに、接触位置Ｐ１０に対する接触操作を強めに行うことにより接触位置Ｐ１０における押下圧力を増大させる。これにより、第１オブジェクト画像が、第２オブジェクト画像へと切り替わり、ユーザの要望が満たされることとなる。第２オブジェクト画像から第３オブジェクト画像への切り替えについても同様である。
【００７８】
ここで、本実施形態では、接触位置における押下圧力の増大に応じて、オブジェクト画像ＯＧに係る仮想回動角度が増大し、オブジェクト画像ＯＧの見た目上の傾きがより増大する。すなわち、ユーザが２箇所の接触位置のうちの一方を強く押せば押すほど、オブジェクト画像ＯＧが、強く押された接触位置の側に大きく傾いた状態となる。このため、ユーザの操作と、表示されるオブジェクト画像ＯＧの状態とに一体性が生まれ、ユーザの操作性がよく、また、ユーザがオブジェクト画像ＯＧを立体的に傾ける際に、どのような操作をすればよいのかをイメージしやすい。
【００７９】
なお、ステップＳＢ３において、接触位置の押下圧力に応じて、オブジェクト画像ＯＧの状態を変化させる際、制御部２０は、例えば、以下の処理を実行する。例えば、制御部２０は、通常オブジェクト画像の画像データを、所定の３次元座標系におけるポリゴンデータによって表す。次いで、制御部２０は、既存の画像処理によって、所定の３次元座標系においてポリゴンデータを、回動軸を中心として押下圧力の圧力レベルに応じた回動角度だけ対応する方向に回動させた画像データを生成する。次いで、制御部２０は、フレームメモリーＦＭに対して、既に展開されたオブジェクト画像ＯＧの画像データに代えて、新たに生成した画像データを展開し、これにより、オブジェクト画像ＯＧの状態を変化させる。なお、接触位置の押下圧力に応じて、オブジェクト画像ＯＧの状態を変化させる方法は、例示した方法に限らず、どのような方法であってもよい。
【００８０】
以上、回動軸の軸方向が上下方向であり、回動軸がオブジェクト画像ＯＧの左辺に位置する場合を例にして、ステップＳＢ３の処理を説明したが、回動軸が上下方向でオブジェクト画像ＯＧの右辺に位置する場合、回動軸が左右方向でオブジェクト画像の上辺に位置する場合、回動軸が左右方向でオブジェクト画像の下辺に位置する場合も、ステップＳＢ３で説明した処理と同様の処理が行われ、押下圧力の大きい方の接触位置の押下圧力に応じて、オブジェクト画像ＯＧの状態が変化する。
【００８１】
図１１（Ａ）は、図６（Ａ）に示すガイド地点リストＧ１が、立体的表示処理により傾いて表示された様子を示す図である。図１１（Ａ）の場合、回動軸の軸方向は上下方向であり、回動軸の位置は、ガイド地点リストＧ１の左辺である。図６（Ａ）と図１１（Ａ）との比較で明らかなとおり、図１１（Ａ）では、情報の欠損を伴うことなく、地図が表示される領域（ユーザが視認可能な地図の表領域）が拡大して表示される。
【００８２】
図１１（Ｂ）は、図６（Ａ）に示すガイド地点リストＧ１が、立体的表示処理により傾いて表示された様子を示す図である。図１１（Ｂ）の場合、回動軸の軸方向は左右方向であり、回動軸の位置は、ガイド地点リストＧ１の下辺である。図６（Ａ）と図１１（Ｂ）との比較で明らかなとおり、図１１（Ｂ）では、情報の欠損を伴うことなく、地図が表示される領域（ユーザが視認可能な地図の表領域）が拡大して表示される。
【００８３】
さて、ステップＳＢ３において、接触位置における押下圧力に応じて立体的に傾いたオブジェクト画像ＯＧを表示した後、制御部２０は、接触位置における接触操作が解除されたか否かを判別する（ステップＳＢ４）。ステップＳＢ４において、制御部２０は、２箇所の接触位置のうち、１箇所でも接触操作が解除された場合、接触位置における接触操作が解除されたと判別する。
【００８４】
接触操作が解除された場合（ステップＳＢ４：ＹＥＳ）、制御部２０は、オブジェクト画像ＯＧについて、立体的表示処理が行われる前にタッチパネル１１に表示されていたオブジェクト画像ＯＧを表示する（ステップＳＢ５）。図１０の例では、第１オブジェクト画像（図１０（Ｂ））、第２オブジェクト画像（図１０（Ｃ））、又は、第３オブジェクト画像（図１０（Ｄ））が表示されている状態の場合、制御部２０は、通常オブジェクト画像（図１０（Ａ））を表示する。
【００８５】
次いで、制御部２０は、立体的表示モードへの移行を停止し（ステップＳＢ６）、立体的表示処理を終了する。
【００８６】
一方、ステップＳＢ４において、接触操作が解除されなかった場合（ステップＳＢ４：ＮＯ）、制御部２０は、２箇所の接触位置のうち、押下圧力が大きい方の接触位置が、タッチパネル１１の表面上を任意の方向に、所定距離以上、移動したか否かを判別する（ステップＳＢ７）。
【００８７】
図１２は、ステップＳＢ７の処理の説明に利用するため、オブジェクト画像表示領域における２箇所の接触位置Ｐ１１、接触位置Ｐ１２を示す図である。
図１２において、接触位置Ｐ１１よりも接触位置Ｐ１２の方が、押下圧力が大きい場合において、制御部２０は、例えば、接触位置Ｐ１２が、所定距離よりも大きい距離ＬＬ離れた接触位置Ｐ１２´へ移動した場合、ステップＳＢ３において、２箇所の接触位置のうち、押下圧力が大きい方の接触位置が、タッチパネル１１の表面上を任意の方向に、所定距離以上、移動したと判別する。
【００８８】
制御部２０は、押下圧力が大きい方の接触位置が、タッチパネル１１の表面上を任意の方向に、所定距離以上、移動してない場合（ステップＳＢ７：ＮＯ）、処理手順をステップＳＢ１へ戻す。この場合、制御部２０により、再び、接触位置における押下圧力の検出が行われて、押下圧力の大きい方の接触位置の押下圧力に応じて、適宜、オブジェクト画像ＯＧが立体的に傾けて表示される。
【００８９】
一方、制御部２０は、押下圧力が大きい方の接触位置が、タッチパネル１１の表面上を任意の方向に、所定距離以上、移動したことを検出した場合（ステップＳＢ７：ＹＥＳ）、オブジェクト画像ＯＧの状態を固定する（ステップＳＢ８）。このステップＳＢ８の処理後、制御部２０は、接触位置に対する接触操作が解除された場合であっても、オブジェクト画像ＯＧの状態を立体的表示処理が行われる前の状態に戻さず、オブジェクト画像ＯＧの状態を固定して表示する。
【００９０】
ユーザは、立体的表示処理により、立体的に傾いて表示された状態のオブジェクト画像ＯＧについて、その状態を維持してオブジェクト画像ＯＧを表示したいと望む場合、強く押下した方の接触位置に対する接触操作を、タッチパネル１１の表面に沿って、所定距離以上、移動させる。これにより、接触位置の状態の変化、接触位置における押下圧力の変化にかかわらず、所定の仮想回動角度だけ立体的に傾いた状態を維持したままオブジェクト画像ＯＧを表示させることができる。
【００９１】
なお、「押下圧力が大きい方の接触位置によるタッチパネル１１の表面上における任意の方向への所定距離以上の移動」は、「２箇所の接触位置の少なくともいずれか一方による第２の態様での移動」に相当する。そして、オブジェクト画像ＯＧの表示の状態を固定するために行われる「２箇所の接触位置の少なくともいずれか一方による第２の態様での移動」は、例示したものに限らない。ただし、オブジェクト画像ＯＧの状態が偶発的に固定されることを防止するため、例示した移動のように、ユーザが意図的に行った操作に基づく接触位置の移動であることが望ましい。
【００９２】
ステップＳＢ８の処理を実行した後、制御部２０は、２箇所の接触位置に対して接触操作が行われた状態で、いずれか一方の接触位置の押下圧力について、低い圧力レベルから高い圧力レベルへと変化したか否かを監視する（ステップＳＢ９）。例えば、図１２に示すように、２箇所の接触位置Ｐ１１、接触位置Ｐ１２が検出された状態において、接触位置Ｐ１２における押下圧力が圧力レベルｌｖ０から圧力レベルｌｖ２へと変化した場合、ステップＳＢ９で制御部２０は、いずれか一方の接触位置の押下圧力が低い圧力レベルから高い圧力レベルへと変化したと判別する。
【００９３】
いずれか一方の接触位置の押下圧力が低い圧力レベルから高い圧力レベルへと変化したことを検出した場合（ステップＳＢ９：ＹＥＳ）、制御部２０は、オブジェクト画像ＯＧの表示の状態の固定を解除し（ステップＳＢ１０）、処理手順をステップＳＢ１に戻す。
【００９４】
ユーザは、オブジェクト画像ＯＧの表示の状態の固定を解除することを望む場合、２箇所の接触位置を接触操作した状態で、いずれか一方の接触位置に対する接触操作により押下を段階的に強める。このような簡易な操作を意図的に行うことにより、ユーザは、オブジェクト画像ＯＧの表示の状態の固定を解除することができる。
【００９５】
以上、立体的表示処理を説明したが、立体的表示処理の内容は、上記で説明した内容に限られるものではない。
以下、立体的表示処理の別の例について、図を用いて説明する。すなわち、立体的表示処理は、上記で説明した方法ではなく、以下で説明する方法で行われてもよい。
【００９６】
図１３は、オブジェクト画像ＯＧの１つである曲リスト画像Ｇ３を示す図である。
制御部２０は、メディアが、複数の楽曲が記録されたものである場合に、メディアから必要な情報を取得して、トラックごとの楽曲名を一覧表示した曲リスト画像Ｇ３を表示する機能を有する。
【００９７】
図１３（Ａ）は、立体的表示処理が行われる前にタッチパネル１１に表示される曲リスト画像Ｇ３を示す図である。
【００９８】
図１３（Ａ）に示す曲リスト画像Ｇ３が表示された状態のときに、図１３（Ｂ）に示すように、２箇所の接触位置Ｐ１３、接触位置Ｐ１４に対してユーザが接触操作を行ったとする。この場合において、接触位置Ｐ１４の押下圧力の方が、接触位置Ｐ１３の押下圧力よりも大きいとする。
【００９９】
この場合、制御部２０は、回動軸の軸方向を上下方向とし、回動軸の位置を接触位置Ｐ１３と、接触位置Ｐ１４の中心点Ｑ１を通る位置とする。このように、本例では、制御部２０は、軸方向が上下方向の回動軸について、その位置を、オブジェクト画像ＯＧの左辺、又は、右辺とするのではなく、２箇所の接触位置の中心点を通る位置とする。
【０１００】
次いで、図１３（Ｂ）に示すように、制御部２０は、２箇所の接触位置の中心点を通る回動軸を中心として、押下圧力の大きい方の接触位置の押下圧力に応じて、曲リスト画像Ｇ３を立体的に傾けて表示する。さらに、制御部２０は、立体的に傾ける前の曲リスト画像Ｇ３の表示領域と、立体的に傾けた後の曲リスト画像Ｇ３の表示領域との差分の領域に、曲に関する新たな情報を表示する。図１３（Ｂ）の例では、制御部２０は、領域Ｒ１に、再生中の楽曲に関する情報を表示する。
【０１０１】
このような態様でオブジェクト画像ＯＧの表示が行われるため、以下の効果を奏する。すなわち、立体的に傾ける前と、立体的に傾けた後とで、オブジェクト画像ＯＧが表示された領域を変更することなく、ユーザにとって有益な情報を、オブジェクト画像ＯＧに新たに付加することができる。特に、立体的に傾ける前の情報を欠損させることなく、新たな情報を付加することが可能となる。
【０１０２】
ユーザは、立体的に傾いたオブジェクト画像ＯＧについて、その状態を維持したい場合は、図１３（Ｃ）に示すように、押下圧力が大きい方の接触位置を、任意の方向（図１３（Ｃ）では、矢印Ｙ１に示す方向）に移動させる。制御部２０は、上述した接触位置の移動を検出した場合、オブジェクト画像ＯＧの状態を固定する。この結果、図１３（Ｄ）に示すように、ユーザが接触位置に対する接触操作を解除した場合であっても、オブジェクト画像ＯＧが立体的に傾いた状態が維持される。このような処理が行われるため、ユーザは、オブジェクト画像ＯＧについて、簡易で意図的な操作を行うことにより、オブジェクト画像ＯＧの立体的な傾きに応じて新たに表示された情報が表示された状態を維持できる。
【０１０３】
以上説明したように、本実施形態に係る車載装置１（表示装置）は、タッチパネル１１と、タッチパネル１１が接触操作された場合、接触操作された接触位置を検出し、また、タッチパネル１１にオブジェクト画像ＯＧを表示する制御部２０とを備える。制御部２０は、オブジェクト画像ＯＧの表示領域に対応する領域に２箇所の接触位置を検出し、検出した２箇所の接触位置の少なくともいずれか一方の状態が所定の態様で変化した場合、接触位置の状態の変化に応じて、オブジェクト画像ＯＧを立体的に傾けて表示する。
この構成によれば、制御部２０は、タッチパネル１１に２箇所の接触操作が行われた場合、それぞれの接触操作に係る接触位置を検出できること、及び、接触位置の状態の変化を検出できることを利用して、接触位置の状態の変化に応じて、オブジェクト画像ＯＧを立体的に傾けて表示することができる。このため、ユーザは、タッチパネル１１に対して所定の操作を行うことにより、オブジェクト画像ＯＧを立体的に傾けて表示させることができる。すなわち、上記構成によれば、車載装置１は、タッチパネル１１を備える構成を利用して、オブジェクト画像ＯＧを表示することができる。
【０１０４】
また、本実施形態では、制御部２０は、オブジェクト画像ＯＧの表示領域に対応する領域で、１箇所の接触位置が第１の態様で移動したことを検出した場合、オブジェクト画像ＯＧを、２箇所の接触位置の状態の変化に応じて立体的に傾けて表示する対象として決定する。
この構成によれば、ユーザは、特定のオブジェクト画像ＯＧの表示領域に対応する領域に対して、１箇所の接触位置が第１の態様で移動する操作を行うことにより、当該特定のオブジェクト画像ＯＧを、立体的表示処理の対象とすることができる。
【０１０５】
また、本実施形態では、制御部２０は、オブジェクト画像ＯＧの表示領域に対応する領域で、オブジェクト画像ＯＧの外周に沿って１箇所の接触位置が移動したことを検出した場合、オブジェクト画像ＯＧを、２箇所の接触位置の状態の変化に応じて立体的に傾けて表示する対象として決定する。
この構成によれば、ユーザが意図的に行った操作に基づいて、オブジェクト画像ＯＧを立体的表示処理の対象とすることができ、オブジェクト画像ＯＧが偶発的に立体的表示処理の対象となることを抑制できる。
【０１０６】
また、本実施形態では、制御部２０は、接触位置の状態の変化に応じてオブジェクト画像ＯＧを立体的に傾けて表示している際に、２箇所の接触位置の少なくともいずれか一方が第２の態様で移動したことを検出した場合、オブジェクト画像ＯＧの状態を、接触位置が第２の態様で移動したことを検出したときの状態で固定する。
この構成によれば、ユーザは、タッチパネル１１に対して所定の操作を行って、オブジェクト画像ＯＧの状態を固定させることができる。
【０１０７】
また、本実施形態では、制御部２０は、タッチパネル１１に地図を表示し、地図に重ねて、オブジェクト画像ＯＧを表示する。
この構成によれば、地図に重ねて表示されるオブジェクト画像ＯＧの表示に関して、ユーザの利便性を向上できる。
【０１０８】
また、本実施形態では、タッチパネル１１は、接触位置における接触操作の押下圧力を示す信号を制御部２０に出力する圧力検出センサ１１３を備える。制御部２０は、圧力検出センサ１１３から入力された信号に基づいて、接触位置における接触操作の押下圧力を検出し、２箇所の接触位置の少なくともいずれか一方の押下圧力の変化に応じて、オブジェクト画像ＯＧを立体的に傾けて表示する。
この構成によれば、接触位置における押下圧力の状態に応じて、オブジェクト画像ＯＧを適切に立体的に傾けて表示できる。
【０１０９】
また、本実施形態では、制御部２０は、２箇所の接触位置のうち押下圧力が大きい方の接触位置の側が、当該接触位置の押下圧力の増大に応じて奥行き方向における後方向に変移するように、オブジェクト画像ＯＧを立体的に傾けて表示する。
この構成によれば、ユーザの操作と、表示されるオブジェクト画像ＯＧの状態とに一体性が生まれ、ユーザの操作性がよく、また、ユーザがオブジェクト画像ＯＧを立体的に傾ける際に、どのような操作をすればよいのかをイメージしやすい。
【０１１０】
なお、上述した実施の形態は、あくまでも本発明の一態様を示すものであり、本発明の範囲内で任意に変形および応用が可能である。
【０１１１】
例えば、上述した実施形態では、タッチパネル１１が圧力検出センサ１１３を有し、制御部２０は、圧力検出センサ１１３からの入力に基づく押下圧力に応じて、オブジェクト画像ＯＧを立体的に傾けて表示した。一方で、制御部２０は、２箇所の接触位置の少なくともいずれか一方が第３の態様で移動したことを検出した場合、接触位置の移動に応じて、オブジェクト画像ＯＧを立体的に傾けて表示してもよい。例えば、制御部２０は、２箇所の接触位置のうち一方の接触位置が、他方の接触位置を中心として、タッチパネル１１の表面上を回動するように移動した場合に、その回動角度に応じた仮想回動角度で、オブジェクト画像ＯＧを立体的に傾けて表示してもよい。このように、接触位置における押下圧力ではなく、接触位置の移動に応じて、オブジェクト画像ＯＧを立体的に傾けて表示することにより、タッチパネル１１に圧力検出センサ１１３を設ける必要がなく、コストの削減等を図ることができる。
【０１１２】
また例えば、図で示したフローチャートの処理単位は、車載装置１の制御部２０の処理を理解容易にするために、主な処理内容に応じて分割したものである。処理単位の分割の仕方や名称によって、本願発明が制限されることはない。制御部２０の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【０１１３】
また上述した実施形態では、車載装置１が「表示装置」として機能したが、本発明は、車載された装置に限らず、タッチパネルを備える装置に広く適用可能である。
【符号の説明】
【０１１４】
１  車載装置（表示装置）
１１  タッチパネル
１１３  圧力検出センサ
２０  制御部
ＯＧ  オブジェクト画像
【図１】
2017004338.tif 000003
【図２】
2017004338.tif 000004
【図３】
2017004338.tif 000005
【図４】
2017004338.tif 000006
【図５】
2017004338.tif 000007
【図６】
2017004338.tif 000008
【図７】
2017004338.tif 000009
【図８】
2017004338.tif 000010
【図９】
2017004338.tif 000011
【図１０】
2017004338.tif 000012
【図１１】
2017004338.tif 000013
【図１２】
2017004338.tif 000014
【図１３】
2017004338.tif 000015